(57)【要約】【課題】  電気ドリル使用によって生じる切削屑を周囲に飛散させず、且つ、確実に除去・清掃することができ、石綿含有建材にも使用することができる吸塵機能付き電気ドリルを提供する。【解決手段】  電気ドリルと、電気ドリルによって生じる切削屑の拡散を防ぐ吸塵カバーと、吸塵カバー内の切削屑を吸塵する吸塵機とからなり、吸塵機は、吸塵機本体と、吸塵機本体から伸びた吸塵ホースを備え、吸塵カバーは、電気ドリルを取り付ける電気ドリル取付部と、吸塵ホースを取り付ける吸塵ホース取付部を有し、吸塵カバーの開口部周縁が、切削箇所近傍の形状と略同一である。開口部は、波形スレートの波形と略同一で、波形スレートと開口部の合致状態時に、波形スレート最頂部の垂直延長線上、又は、波形スレート最深部の垂直延長線上に切削刃が位置する。【選択図】  図１
0003134914.tif 000002
【実用新案登録請求の範囲】
【請求項１】
電気ドリルと、該電気ドリル使用によって生じる切削屑の飛散を防ぐ吸塵カバーと、該吸塵カバー内の切削屑を吸塵する吸塵機とからなり、該吸塵機は、吸塵機本体と、該吸塵機本体から伸びた吸塵ホースを備え、前記吸塵カバーは、前記電気ドリルを取り付ける電気ドリル取付部と、前記吸塵ホースを取り付ける吸塵ホース取付部を有し、該吸塵カバーの開口部周縁が、切削箇所近傍の形状と略同一であることを特徴とする吸塵機能付き電気ドリル。
【請求項２】
前記開口部は、波形スレートの波形と略同一で、該波形スレートと該開口部の合致状態時に、該波形スレート最頂部の垂直延長線上に前記切削刃が位置することを特徴とする請求項１に記載の吸塵機能付き電気ドリル。
【請求項３】
前記開口部は、波形スレートの波形と略同一で、該波形スレートと該開口部の合致状態時に、該波形スレート最深部の垂直延長線上に前記切削刃が位置することを特徴とする請求項１に記載の吸塵機能付き電気ドリル。
【請求項４】
前記吸塵カバーは、前記開口部の対向面側に位置する取付面と、該取付面の外周縁に設けられたフランジ部とからなり、該取付面は、前記電気ドリル取付部及び前記吸塵ホース取付部が設けられ、該電気ドリル取付部は、切削刃貫通用の切削刃貫通穴と、該電気ドリルの一部を固定保持する電気ドリル保持部とを有し、該吸塵ホース取付部は、吸塵用通気口と、該吸塵ホースを固定保持する吸塵ホース保持部とを有し、前記フランジ部には蛇腹部が設けられ、該蛇腹部は、該開口部を前記切削刃の回転軸と平行に伸縮可能であることを特徴とする請求項１〜請求項３のいずれかに記載の吸塵機能付き電気ドリル。
【考案の詳細な説明】
【技術分野】
【０００１】
本考案は、電気ドリル使用時に生じる切削屑の飛散を防止すると同時に切削屑を回収することが可能な吸塵機能を備えた電気ドリルに関する。
【背景技術】
【０００２】
建築現場では電気ドリルを頻繁に使用するが、電気ドリル使用時には切削屑が発生してしまう。切削屑は、飛散すると近隣に迷惑がかかったり、作業者の手元や作業箇所が隠れて作業効率が悪くなったり、切削穴に入って部材や製品の破損の原因になる等の問題を生じやすい。従って、電気ドリル使用時は、切削屑の清掃をこまめに行うのが理想的であるが、作業効率が悪すぎるため、実際にはある程度量の切削屑が溜まってから清掃作業をしている。
【考案の開示】
【考案が解決しようとする課題】
【０００３】
ところで、近年、石綿による健康被害が深刻な社会問題となり、石綿の封じ込め・撤去・厳しい使用制限が課せられるようになった。その結果、石綿含有建材の封じ込め、撤去に伴い、電気ドリルの使用も多くなったが、従来の電気ドリルでは切削屑が飛散してしまう。石綿は、建物外への飛散はもちろんのこと、建物内部にも落下・飛散させてはならないため、速やか且つ確実な切削屑の除去が求められている。
【０００４】
以上のことから、電気ドリル使用時に生じる切削屑を周囲に飛散させず、且つ、確実に除去・清掃することができ、石綿含有建材にも使用可能な装置が切望されていた。
【課題を解決するための手段】
【０００５】
上記課題を解決するために、本考案に係る吸塵機能付き電気ドリルは、電気ドリルと、電気ドリル使用によって生じる切削屑の飛散を防ぐ吸塵カバーと、吸塵カバー内の切削屑を吸塵する吸塵機とからなり、吸塵機は、吸塵機本体と、吸塵機本体から伸びた吸塵ホースを備え、吸塵カバーは、電気ドリルを取り付ける電気ドリル取付部と、吸塵ホースを取り付ける吸塵ホース取付部を有し、吸塵カバーの開口部周縁が、切削箇所近傍の形状と略同一であることを特徴とする。
【０００６】
また、開口部は、波形スレートの波形と略同一で、波形スレートと開口部の合致状態時に、波形スレート最頂部の垂直延長線上、又は、波形スレート最深部の垂直延長線上に切削刃が位置するのが良い
【０００７】
また、吸塵カバーは、開口部の対向面側に位置する取付面と、取付面の外周縁に設けられたフランジ部とからなり、取付面は、電気ドリル取付部及び吸塵ホース取付部が設けられ、電気ドリル取付部は、切削刃貫通用の切削刃貫通穴と、電気ドリルの一部を固定保持する電気ドリル保持部とを有し、吸塵ホース取付部は、吸塵用通気口と、吸塵ホースを固定保持する吸塵ホース保持部とを有し、フランジ部には蛇腹部が設けられ、蛇腹部は、開口部を切削刃の回転軸と平行に伸縮可能であるのが良い。
【考案の効果】
【０００８】
本考案に係る吸塵機能付き電気ドリルは、吸塵カバーの開口部周縁が、切削箇所近傍の形状と略同一であるため、切削部材と吸塵カバーが密接し、吸塵カバー内を密閉状態とすることができ、切削屑の飛散を防止することができる。特に、石綿含有建材に吸塵機能付き電気ドリルを使用しても、吸塵カバーが石綿含有建材と間隙を設けずに密接し、切削屑の発生と同時に吸塵できるため、使用可能な切削部材の種類が増え、汎用性を有する。
【０００９】
また、吸塵カバー開口部は、波形スレートの波形と略同一で、波形スレートと開口部の合致状態時に、波形スレート最頂部の垂直延長線上、又は、波形スレート最深部の垂直延長線上に切削刃が位置するため、切削箇所の位置決め工程が省略され、作業効率が飛躍的に向上する。
【考案を実施するための最良の形態】
【００１０】
本考案に係る吸塵機能付き電気ドリル２について、図を参照にしながら説明する。図１は、本考案に係る吸塵機能付き電気ドリル２についての説明図であって、吸塵カバー１２部分を中心とした図である。図６は、本考案の全体構造を示した図である。なお、これらの図は、説明のためだけのものであり、本考案を何ら限定するものでない。
【００１１】
本考案に係る吸塵機能付き電気ドリル２は、図６に示されたように、電気ドリル４と、吸塵カバー１２と、吸塵機６とからなる。電気ドリル４については、従来から使用されている電気ドリル４、一般的に市販されている電気ドリル４等を使用することができる。また、切削部材が石綿含有建材の場合は、内部吸引方式のコア抜きドリルを使用しても良く、切削部材に応じて専用の電気ドリル４を使用しても良い。なお、図２〜図４では、内部吸引方式のコア抜きドリルを記載しているが、一般的な電気ドリル４であっても良いことは言うまでもない。
【００１２】
また、吸塵機６は、吸塵機本体８と、吸塵機本体８から伸びた吸塵ホース１０を備えている。吸塵機本体８は、吸塵するための吸塵部と、吸塵部を駆動する駆動部と、吸塵した切削屑等を一時収納する収納部を備えていれば、その他にどの様な機能・手段が設けられていても良い。また、例えば、切削部材が石綿含有建材で、内部吸引方式の電気ドリルを使用した場合には真空掃除機を使用するといったように、切削部材や電気ドリル４の種類に応じて、吸塵手段や吸塵方法の異なる吸塵機６を適宜設定すれば良い。
【００１３】
次に、本考案に係る吸塵カバー１２は、電気ドリル４によって生じる切削屑の飛散を防ぐカバー部材で、電気ドリル４を取り付ける電気ドリル取付部１６と、吸塵ホース１０を取り付ける吸塵ホース取付部１８が設けられている。電気ドリル取付部１６は、切削刃２８貫通用の切削刃貫通穴と、電気ドリル４の一部を固定保持する電気ドリル保持部を備え、吸塵ホース取付部１８は、吸塵用通気口と、吸塵ホース１０を固定保持する吸塵ホース１０保持部とを備えている。電気ドリルを保持する手段・方法、吸塵ホース１０を保持する手段・方法については、電気ドリル４又は吸塵ホース１０を取付部に取り付けた後、容易に外れない手段・構造であれば適宜設定すれば良い。また、吸塵ホース取付部１８は、吸塵用通気口の向きや角度が変更可能に設けられていても良い。また、電気ドリル４として内部吸引方式のコア抜きドリルを使用し、吸塵機６として真空掃除機を使用する場合は、電気ドリル取付部１６と吸塵ホース取付部１８を真空吸引可能に連結する必要がある。この時、コア抜きドリルで切削屑を内部吸引すると共に、吸塵用通気口からも切削屑を吸引する構造になっていると更に良い。
【００１４】
吸塵カバー１２の形状については、吸塵カバー１２によって切削屑の飛散を防止することができ、吸塵カバー１２内を密閉状態とすることができればどの様な形状でも良い。本考案は、図１及び図２に示されたように筒状体とし、開口部の対向面側に位置する面を取付面１４、取付面１４の外周縁に設けられた側壁をフランジ部２０、フランジ部２０の切削部材との接触部側にマウス２２を設けている。また、フランジ部２０には、図２に示されたように、吸塵カバー１２の開口部を電気ドリル４の切削刃２８の回転軸と平行に伸縮可能とする蛇腹部２４が設けられている。図中では、取付面１４に電気ドリル取付部１６及び吸塵ホース取付部１８を設けているが、例えば、吸塵ホース取付部１８をマウス２２側部に設けても良く、電気ドリル取付部１６及び吸塵ホース取付部１８の取付位置については適宜設定すれば良い。なお、電気ドリル４として内部吸引方式のコア抜きドリルを使用し、吸塵機６として真空掃除機を使用する場合は、取付面１４・電気ドリル取付部１６・吸塵ホース取付部１８が真空吸引可能に連結されているのが良い。
【００１５】
吸塵カバー１２の材料については、用途・成型容易性・コスト等種々の条件を考慮して適宜設定すれば良い。また、吸塵カバー１２とマウス２２の材料が異なるといったように、部材によって材料を変えても良い。例えば、マウス２２にスポンジ等の変形容易な軟性材料を用いれば、切削箇所近傍の形状に合わせて開口部を変形させることができる。ただし、真空掃除機を使用する場合は、ゴムで成形されたマウス２２である方が良い。これは、真空掃除機によって吸塵カバー１２内が減圧されると、スポンジ等の軟性材料ではマウス２２が縮みすぎてしまって使用しにくいからである。また、マウス２２をゴム材料で成形する時も、硬質ゴムではなく、適度な軟性及び硬度を有するゴム材料を使用すると更に良い。
【００１６】
また、マウス２２は、蛇腹部２４股はフランジ部２０と着脱可能であっても良い。これにより、切削箇所の形状が変化しても、略同一形状の開口部を有するマウス２２を変更するだけで、切削部材と吸塵カバー１２を密閉状態にすることができる。この時の着脱手段は、吸塵カバー１２内の密閉、着脱容易性、連結の強固性等を考慮して適宜設定すれば良い。同様に、切削刃２８の長さや切削深度の変更に対応するため、蛇腹部２４と取付面１４が着脱可能であっても良い。
【００１７】
また、吸塵カバー１２の開口部周縁は、切削箇所近傍の形状と略同一であるのが良い。例えば、図２又は図３に示されたように、切削部材が波形スレート２６である場合は、開口部を波形スレート２６と同一形状の波形を設けるのが良い。また、波形スレート２６と開口部を合致させた時、電気ドリル４の切削刃２８が波形スレート２６最頂部の垂直延長線上、又は、波形スレート２６最深部の垂直延長線上に位置すると更に良い。なお、切削刃２８が波形スレート２６最頂部の垂直延長線上に位置するとは、図２に示されたように、波形スレート２６の山部分の頂部から垂直延長線上に切削刃２８が位置する状態を指す。また、切削刃２８が波形スレート２６最深部の垂直延長線上に位置するとは、図３に示されたように、波形スレート２６の谷部分の深部から垂直延長線上に切削刃２８が位置する状態を指す。なお、図中の点線で示された切削刃２８は、切削予定位置を示している。
【００１８】
また、図２及び図３に示された開口部は、波形の間隔が広い大波スレートと同一形状になっているが、図４及び図５に示されたような波形の間隔が狭い小波スレートと同一形状であっても良い。なお、図中の点線で示された切削刃２８は、切削予定位置を示している。この時も、波形スレート２６と開口部を合致させた時、電気ドリル４の切削刃２８が、図４に示されたように波形スレート２６最頂部の垂直延長線上に位置する、又は、図５に示されたように波形スレート２６最深部の垂直延長線上に位置するのが良い。特に、図３又は図５に示されたように、波形スレート２６の谷部分の深部から垂直延長線上に切削刃２８が位置するタイプの吸塵カバー１２を使用すると、吸塵しきれなかった切削屑が波形スレート２６下へ落下しても、波形スレート２６の谷部分の下には支持部材が設けられているため、落下した切削屑が支持部材上に溜まり、建物内に切削屑が落下することがないという利点を有する。
【００１９】
以上が本考案に係る吸塵機能付き電気ドリル２についての説明であるが、本考案の主旨を逸脱しない限り、種々の条件及び設定は変更が可能である。
【図面の簡単な説明】
【００２０】
【図１】本考案に係る吸塵機能付き電気ドリルを示した説明図である。
【図２】本考案に係る吸塵機能付き電気ドリルの一実施の形態を示した説明図である。
【図３】本考案に係る吸塵機能付き電気ドリルの一実施の形態を示した説明図である。
【図４】本考案に係る吸塵機能付き電気ドリルの一実施の形態を示した説明図である。
【図５】本考案に係る吸塵機能付き電気ドリルの一実施の形態を示した説明図である。
【図６】本考案に係る吸塵機能付き電気ドリルの一例を示した説明図である。
【符号の説明】
【００２１】
２    集塵機能付き電気ドリル
４    電気ドリル
６    吸塵機
８    吸塵機本体
１０    吸塵ホース
１２    吸塵カバー
１４    取付面
１６    電気ドリル取付部
１８    吸塵ホース取付部
２０    フランジ部
２２    マウス
２４    蛇腹部
２６    波形スレート
２８    切削刃
【図１】
0003134914.tif 000003
【図２】
0003134914.tif 000004
【図３】
0003134914.tif 000005
【図４】
0003134914.tif 000006
【図５】
0003134914.tif 000007
【図６】
0003134914.tif 000008